(57)【要約】      （修正有）【課題】打撃工具の本体部の構成を簡素化できる技術を提供する。【解決手段】着脱可能なハンマビット１１９が駆動される電動式ハンマ１００が構成される。電動式ハンマ１００は、モータ軸１１１がハンマビット１１９が駆動する第１方向に交差する方向に延在して配置された駆動モータ１１０と、駆動モータ１１０に駆動される駆動機構と、駆動モータ１１０を収容するモータハウジング１０３と、駆動機構を収容するギアハウジング１０５と、モータハウジング１０３とギアハウジング１０５で構成される本体部１０１と、モータハウジング１０３を覆うハウジングカバー１０６と、一端が本体部１０１に接続され、他端がハウジングカバー１０６に接続されたハンドグリップ１０７を有している。【選択図】図２
2013252596.tif 000002
【特許請求の範囲】
【請求項１】
着脱可能な先端工具が第１方向に駆動される打撃工具であって、
回転軸が前記第１方向に交差する方向に延在して配置されたモータと、
前記モータに駆動される駆動機構と、
前記モータを収容するモータ収容部と、
前記駆動機構を収容する駆動機構収容部と、
前記モータ収容部と前記駆動機構収容部で構成される本体部と、
前記モータ収容部を覆うカバー部と、
一端が前記本体部に接続され、他端が前記カバー部に接続されたハンドルを有することを特徴とする打撃工具。
【請求項２】
請求項１に記載の打撃工具であって、
前記カバー部と前記ハンドルは、前記カバー部と前記ハンドルが一体に成形されたハンドル構成部材で構成されていることを特徴とする打撃工具。
【請求項３】
請求項２に記載の打撃工具であって、
前記ハンドル構成部材は、一対の、第１構成部材および第２構成部材で構成されており、
前記第１構成部材と前記第２構成部材は、対向して連結されていることを特徴とする打撃工具。
【請求項４】
請求項１〜３のいずれか１項に記載の打撃工具であって、
前記カバー部は、前記回転軸が延在する方向における前記モータ収容部の前記駆動機構と反対側の端部側の外側を覆うように構成されていることを特徴とする打撃工具。
【請求項５】
請求項４に記載の打撃工具であって、
前記モータ収容部の前記端部側には、前記モータのブラシが配置されており、
前記カバー部には、前記ブラシ交換用の開口部が形成されており、前記開口部に対して着脱可能な蓋体が設けられていることを特徴とする打撃工具。
【請求項６】
請求項１〜５のいずれか１項に記載の打撃工具であって、
前記先端工具は、前記第１方向における前記本体部の第１の端部側に対して着脱可能に構成されており、
前記ハンドルは、前記第１方向における前記第１の端部側と反対側の第２の端部側に配置されており、
当該ハンドルは、
前記本体部に接続される第１接続部と、前記第１方向に交差する方向に延在する第１延在部と、を有する第１部分と、
前記カバー部に接続される第２接続部と、前記回転軸に交差する方向に延在する第２延在部と、を有する第２部分と、
前記第１部分と前記第２部分とを接続し、前記第１方向に対して傾斜する第３部分とで構成されており、
前記第３部分の前記第２部分との接続部分は、前記第３部分の前記第１部分との接続部分よりも前記第１の端部側に近い位置に配置されていることを特徴とする打撃工具。
【請求項７】
請求項６に記載の打撃工具であって、
前記モータに電力を供給する電源ケーブルを有し、
前記電源ケーブルは、前記第２部分に接続されていることを特徴とする打撃工具。
【発明の詳細な説明】
【技術分野】
【０００１】
本発明は、先端工具を駆動させて被加工材に対して打撃作業を行う打撃工具に関する。
【背景技術】
【０００２】
特開２００９−９５９０２号公報には、本体部とグリップを有する打撃工具が開示されている。この本体部は、駆動モータを収容したモータハウジングを有しており、モータハウジングの下端部にハウジングカバーが着脱可能に装着されている。一方、グリップは、両方の端部が本体部に連接されている。
【先行技術文献】
【特許文献】
【０００３】
【特許文献１】特開２００９−９５９０２号公報
【発明の概要】
【発明が解決しようとする課題】
【０００４】
ところで、特開２００９−９５９０２号公報に記載の打撃工具においては、ハウジングカバーとハンドルが本体部の異なる位置に別体で設けられている。そのため、本体部は、ハウジングカバーとハンドルがそれぞれ接続される構成であり、本体部の構造が複雑になっていた。そこで、本発明は、打撃工具の本体部の構成を簡素化できる技術を提供することを目的とする。
【課題を解決するための手段】
【０００５】
上記課題を解決するため、本発明に係る打撃工具の好ましい形態によれば、着脱可能な先端工具が第１方向に駆動される打撃工具が構成される。当該打撃工具は、回転軸が第１方向に交差する方向に延在して配置されたモータと、モータに駆動される駆動機構と、モータを収容するモータ収容部と、駆動機構を収容する駆動機構収容部と、モータ収容部と駆動機構収容部で構成される本体部と、モータ収容部を覆うカバー部と、一端が本体部に接続され、他端がカバー部に接続されたハンドルを有している。
【０００６】
本発明によれば、カバー部がモータ収容部を保護するとともに、ハンドルの他端を支持している。そのため、カバー部、ハンドルの一端、ハンドルの他端がそれぞれ本体部に接続される構成に比べて、本体部の構成を簡素化することができる。なお、カバー部が、モータ収容部を覆う態様としては、カバー部がモータ収容部を形成する壁部を覆う態様と、カバー部がモータ収容部に形成されている開口や凹部を覆う態様が好適に包含される。
【０００７】
本発明に係る打撃工具の更なる形態によれば、カバー部とハンドルは、カバー部とハンドルが一体に成形されたハンドル構成部材で構成されている。
【０００８】
本形態によれば、カバー部とハンドルが別体である構成に比べて、打撃工具の部品点数を減らすことができる。また、カバー部とハンドルが一体であるため、打撃工具の組み立て作業が簡素化される構成を実現することができる。
【０００９】
本発明に係る打撃工具の更なる形態によれば、ハンドル構成部材は、一対の、第１構成部材および第２構成部材で構成されている。また、第１構成部材と第２構成部材は、対向して連結されており、これによりカバー部とハンドルが構成される。
【００１０】
本形態によれば、第１構成部材と第２構成部材を対向させて連結（固定）させるだけで、カバー部とハンドルを一度に形成することができる。したがって、打撃工具の組み立て作業がさらに簡素化される構成を実現することができる。
【００１１】
本発明に係る打撃工具の更なる形態によれば、カバー部は、回転軸が延在する方向におけるモータ収容部の駆動機構と反対側の端部側の外側を覆うように構成されている。
【００１２】
本発明によれば、カバー部は、モータ収容部の端部を覆うことができる。とりわけ先端工具が駆動される第１方向に交差してモータの回転軸が配置される打撃工具においては、打撃工具を床面に載置する場合に、モータ収容部の端部に衝撃が加わりやすい。そのため、カバー部がモータ収容部の端部を覆うことで、衝撃が加わりやすいモータ収容部の端部を保護することができる。また、カバー部がモータ収容部の端部を覆うため、ハンドルがモータ収容部に接続されている構成に比べて、ハンドルの長さが長くすることができる。ハンドルの長さが長くなることで、ユーザは、複数の作業態様に応じた姿勢で打撃工具を保持することができる。複数の作業態様とは、片手でハンドルを握って打撃作業を行う態様や、両手でハンドルを握って打撃作業を行う態様が含まれる。
【００１３】
本発明に係る打撃工具の更なる形態によれば、モータ収容部の端部側には、モータのブラシが配置されている。そして、カバー部には、ブラシ交換用の開口部が形成されている。さらに、開口部に対して着脱可能な蓋体が設けられている。
【００１４】
本形態によれば、カバー部には、モータのブラシ交換用の開口が形成されている。すなわち、カバー部の開口部によって、モータ収容部を保護したままモータのブラシを交換することができる。
【００１５】
本発明に係る打撃工具の更なる形態によれば、先端工具は、第１方向における本体部の第１の端部側に対して着脱可能に構成されている。また、ハンドルは、第１方向における第１の端部側と反対側の第２の端部側に配置されている。そして、ハンドルは、第１部分、第２部分、および第３部分で構成されている。第１部分は、本体部に接続される第１接続部と、第１方向に交差する方向に延在する第１延在部とを有する。第２部分は、カバー部に接続される第２接続部と、回転軸に交差する方向に延在する第２延在部とを有する。さらに、第３部分は、第１部分と第２部分とを接続し、第１方向に対して傾斜して構成されている。第３部分の第２部分との接続部分は、第３部分の第１部分との接続部分よりも第１の端部側に近い位置に配置されている。
【００１６】
本形態によれば、ハンドルが第１部分、第２部分、第３部分で構成されているため、ユーザは、作業態様に応じてそれぞれの位置を把持することで、打撃工具を保持することができる。すなわち、作業態様に応じた姿勢で打撃工具を保持することができる。とりわけ、第３部分が第１方向に対して傾斜していることで、ユーザは、複数の作業態様に応じた姿勢で打撃工具を保持することができる。複数の作業態様とは、片手でハンドルを握って打撃作業を行う態様や、両手でハンドルを握って打撃作業を行う態様が含まれる。なお、ユーザが被加工材に対して大きな押圧力を付与して打撃作業を行う場合には、両手でハンドルを握って打撃作業を行うことが好ましい。
【００１７】
本発明に係る打撃工具の更なる形態によれば、モータに電力を供給する電源ケーブルを有する。当該電源ケーブルは、第２部分に接続されている。
【００１８】
本形態によれば、第２部分は、ハンドルとカバー部を接続させるとともに、電源ケーブルを接続させる部分として設定される。そのため、ユーザは、第１部分と第３部分を保持することで、複数の作業態様に応じた姿勢で打撃工具を保持することができる。
【発明の効果】
【００１９】
本発明によれば、組み立て作業が簡素化される構成を有する打撃工具を提供することができる。
【図面の簡単な説明】
【００２０】
【図１】本発明の第１実施形態に係る打撃工具の全体構成を示す側面図である。
【図２】図１の断面図である。
【図３】図１のIII-III線における断面図である。
【図４】一方のハンドル構成部材を示す側面図である。
【発明を実施するための形態】
【００２１】
本発明の実施形態につき、図１〜図４を参照して、詳細に説明する。本実施形態は、打撃工具の一例として電動式ハンマを用いて説明する。図１、図２に示すように、本実施形態に係る電動式ハンマ１００は、概括的に見て、電動式ハンマ１００の外郭を形成する工具本体としての本体部１０１と、作業者が握るハンドグリップ１０７と、本体部１０１に対して着脱可能な着脱式ハンドル１８０を主体として構成される。本体部１０１の先端領域（図１左側）には、ハンマビット１１９が筒状のツールホルダ１５９を介して着脱自在に取り付けられる。本体部１０１の先端領域の反対側（図１の右側）には、ハンドグリップ１０７が連接されている。着脱式ハンドル１８０については、便宜上説明を省略する。ハンマビット１１９は、本発明における「先端工具」に対応する実施構成例である。なお、説明の便宜上、電動式ハンマ１００のハンマビット１１９側を電動式ハンマ１００の前側、ハンドグリップ１０７側を電動式ハンマ１００の後側という。
【００２２】
図２に示すように、本体部１０１は、駆動モータ１１０を収容したモータハウジング１０３と、ツールホルダ１５９を保持したフロントハウジング１０４と、運動変換機構１２０および打撃要素１４０を収容したギアハウジング１０５とによって構成されている。このモータハウジング１０３、ギアハウジング１０５がそれぞれ、本発明における「モータ収容部」、「駆動機構収容部」に対応する実施構成例である。また、本体部１０１が、本発明における「本体部」に対応する実施構成例である。
【００２３】
図２、図３に示すように、駆動モータ１１０は、その回転軸線（モータ軸１１１の回転軸線）が本体部１０１の長軸方向（ハンマビット１１９の長軸方向）と概ね直交する縦方向（図２および図３の上下方向）となるように配置されている。モータ軸１１１は、上端側および下端側がそれぞれベアリング１１２，１１３を介してモータハウジング１０３に支持されている。モータ軸１１１の下端部には、整流子１１４が取り付けられている。図３に示すように、整流子１１４の外側には、整流子１１４に接触して当該整流子１１４に電流を供給するブラシ１１５が配置されている。このブラシ１１５が、本発明における「ブラシ」に対応する実施構成例である。
【００２４】
駆動モータ１１０のトルクは、運動変換機構１２０によって直線運動に適宜変換された上で打撃要素１４０に伝達され、当該打撃要素１４０を介してハンマビット１１９の長軸方向への衝撃力を発生する。駆動モータ１１０は、ハンドグリップ１０７に配置されたトリガ１０７ａの引き操作によって通電駆動される。駆動モータ１１０が、本発明における「モータ」に対応し、モータ軸１１１が、本発明における「回転軸」に対応する実施構成例である。
【００２５】
図２に示すように、運動変換機構１２０は、駆動モータ１１０のモータ軸１１１に形成された第１駆動ギア１２１及び当該第１駆動ギア１２１に噛み合い係合された被動ギア１２３を介して駆動されるクランク機構によって構成される。クランク機構は、クランク軸１２５、偏心軸１２７、連接ロッド１２９およびピストン１３１を主体として構成されている。クランク軸１２５は、被動ギア１２３と一体に回転するように構成されている。偏心軸１２７は、クランク軸１２５の軸線からずれた位置に設けられている。連接ロッド１２９は、偏心軸１２７とピストン１３１を連接している。クランク軸１２５は、軸方向の両端部において上下の軸受を介してギアハウジング１０５に回転自在に支持されている。ピストン１３１は、打撃要素１４０を駆動する駆動子として、シリンダ１４１内をハンマビット１１９の長軸方向に摺動可能に構成されている。駆動モータ１１０のモータ軸１１１とクランク軸１２５は、互いに平行に配置される。また、駆動モータ１１０とシリンダ１４１は、長軸線が互いに直交するように配置される。シリンダ１４１は、フロントハウジング１０４およびギアハウジング１０５に固定状に支持されている。
【００２６】
図２に示すように、打撃要素１４０は、シリンダ１４１、ストライカ１４３およびインパクトボルト１４５を主体として構成されている。ストライカ１４３は、打撃子として、シリンダ１４１内に摺動自在に配置されている。インパクトボルト１４５は、中間子として、ツールホルダ１５９内に摺動自在に配置されており、ストライカ１４３の運動エネルギをハンマビット１１９に伝達するように構成されている。シリンダ１４１は、ツールホルダ１５９の後方に配置されるとともに、内部にピストン１３１及びストライカ１４３によって仕切られる空気室１４１ａを有する。ストライカ１４３は、ピストン１３１の摺動動作に伴う空気室１４１ａの圧力変動（空気バネ）を介して駆動される。ストライカ１４３は、インパクトボルト１４５に衝突し、インパクトボルト１４５を介してハンマビット１１９に打撃力を伝達する。この運動変換機構１２０および打撃要素１４０が、本発明における「駆動機構」に対応する実施構成例である。
【００２７】
図２に示すように、ハンドグリップ１０７は、第１領域１０８ａ、第２領域１０８ｂ、第３領域１０８ｃを主体として構成されている。このハンドグリップ１０７が、本発明における「ハンドル」に対応する実施構成例である。また、第１領域１０８ａ、第２領域１０８ｂ、第３領域１０８ｃがそれぞれ、本発明における「第１部分」、「第２部分」、「第３部分」に対応する実施構成例である。
【００２８】
第１領域１０８ａは、ギアハウジング１０５に連接されている。当該第１領域１０８ａは、ギアハウジング１０５との連接部から電動式ハンマ１００の後方に延在する延在部分１０８ａ１と、電動式ハンマ１００の下方に延在する延在部分１０８ａ２とを有している。トリガ１０７ａは、第１領域１０８ａの延在部分１０８ａ２に配置されている。
【００２９】
第２領域１０８ｂは、ハウジングカバー１０６に連接されている。当該第２領域１０８ｂの下面には、駆動モータ１１０に電流を供給するケーブル１６０が接続されている。ハウジングカバー１０６は、モータハウジング１０３の下端領域を覆うようにモータハウジング１０３の外側に配置されている。このハウジングカバー１０６が、本発明における「カバー部」に対応する実施構成例である。また、ケーブル１６０が、本発明における「電源ケーブル」に対応する実施構成例である。
【００３０】
第３領域１０８ｃは、第１領域１０８ａの下端と第２領域１０８ｂの後端にそれぞれ連接されている。当該第３領域１０８ｃは、第３領域１０８ｃと第２領域１０８ｂとの接続部が、第３領域１０８ｃと第１領域１０８ａとの接続部よりも電動式ハンマ１００の先端側に位置するように、ハンマビット１１９の長軸方向に対して傾斜して配置されている。
【００３１】
図４に示すように、ハンドグリップ１０７とハウジングカバー１０６は一体に成形されている。当該ハンドグリップ１０７とハウジングカバー１０６は、図４に示す左側ハウジング１０９Ａを、図２に示す右側ハウジング１０９Ｂに対向させて、４本のネジにより固定することで構成されている。この左側ハウジング１０９Ａ、右側ハウジング１０９Ｂが、それぞれ本発明における「第１構成部材」、「第２構成部材」に対応する実施構成例である。また、左側ハウジング１０９Ａおよび右側ハウジング１０９Ｂが、本発明における「ハンドル構成部材」に対応する実施構成例である。
【００３２】
図３に示すように、モータハウジング１０３およびハウジングカバー１０６には、それぞれブラシ１１５を交換するための開口１０３ａ，１０６ａが形成されている。開口１０６ａは、左側ハウジング１０９Ａおよび右側ハウジング１０９Ｂにそれぞれ形成されている。開口１０３ａには、ブラシ保持部材１７０が篏合している。ブラシ保持部材１７０は、略円筒状の部材であり、内部にブラシ１１５を保持している。ブラシ保持部材１７０には、ネジ山が設けられており、螺合部材１７１が螺合するように構成されている。螺合部材１７１には、マイナスドライバなどの工具が係合可能な係合溝１７１ａが形成されている。螺合部材１７１がブラシ保持部材１７０に螺合することで、外部からブラシ１１５に異物が混入することを防止している。また、螺合部材１７１の外側には、さらに保護キャップ１７２が設けられている。保護キャップ１７２は、ゴム製の部材であり、開口１０６ａ内において、モータハウジング１０３に係合して保持されている。この保護キャップ１７２は、螺合部材１７１の係合溝１７１ａに異物が詰まることを抑制している。
【００３３】
保護キャップ１７２を取り外し、さらに螺合部材１７１の係合溝１７１ａに工具を係合させて螺合部材１７１を回転させることで、螺合部材１７１をブラシ保持部材から取り外すことができる。その結果、ブラシ１１５を交換することが可能となる。この螺合部材１７１および保護キャップ１７２が、本発明における「蓋体」に対応し、開口１０３ａ，１０６ａが、本発明における「開口部」に対応する実施構成例である。
【００３４】
上記のように構成された電動式ハンマ１００は、トリガ１０７ａが操作されると駆動モータ１１０に通電し駆動される。駆動モータ１１０のトルクは、運動変換機構１２０に伝達され、ピストン１３１がシリンダ１４１に沿って直線状に摺動動作される。これにより、空気室１４１ａ内の空気の圧力変化、すなわち空気バネの作用によりストライカ１４３がシリンダ１４１内を直線運動する。ストライカ１４３は、インパクトボルト１４５に衝突することで、その運動エネルギをハンマビット１１９に伝達する。これにより、ハンマビット１１９が、当該ハンマビット１１９の長軸方向（図１の左右方向）に往復運動し、被加工材に対して打撃作業を行う。このハンマビット１１９の長軸方向（図１の左右方向）が、本発明における「第１方向」に対応する実施構成例である。
【００３５】
以上の実施形態によれば、ハウジングカバー１０６がモータハウジング１０３を覆っているため、モータ軸１１１を支持しているモータハウジング１０３を外部の衝撃から保護することができる。また、ハウジングカバー１０６が、ハンドグリップ１０７と接続されているため、ハウジングカバー１０６がモータハウジング１０３の保護と、ハンドグリップ１０７を支持する機能を備えることができる。
【００３６】
また、以上の実施形態によれば、ハウジングカバー１０６とハンドグリップ１０７が一体に接続されているため、ハンドグリップ１０７の長さを長くすることができる。ハンドグリップ１０７の長さが長くなることで、ユーザは、複数の作業態様に応じた姿勢で電動式ハンマ１００を保持することができる。複数の作業態様とは、片手でハンドグリップ１０７の第１領域１０８ａを握って打撃作業を行う態様や、両手でハンドグリップ１０７の第１領域１０８ａと第３領域１０８ｃを握って打撃作業を行う態様が含まれる。片手でハンドグリップ１０７を握る場合には、もう一方の手は、着脱式ハンドル１８０を握って打撃作業を行うことができる。両手でハンドグリップ１０７を握る場合には、特に、第３領域１０８ｃがハンマビット１１９の長軸方向に対して傾斜して配置されているため、両手でハンドグリップ１０７の第１領域１０８ａと第３領域１０８ｃを握ることでユーザが被加工材に対して押圧力を与えやすい。
【００３７】
また、以上の実施形態によれば、ケーブル１６０は、ハンドグリップ１０７の第２領域１０８ｂに接続されているため、両手でハンドグリップ１０７を握った場合であっても、ケーブル１６０とハンドグリップ１０７の接続部が打撃作業を阻害しない。また、当該ハンドグリップ１０７は、ユーザに把持されるとともに、ケーブル１６０が接続される領域を形成することができる。
【００３８】
また、以上の実施形態によれば、ハウジングカバー１０６とハンドグリップ１０７が一体に成形されているため、ハウジングカバー１０６とハンドグリップ１０７を別体で構成して組み付ける場合に比べて、電動式ハンマ１００の組み立て作業が簡素化される。とりわけ、ハウジングカバー１０６とハンドグリップ１０７が、一対の左側ハウジング１０９Ａ、右側ハウジング１０９Ｂで構成される電動式ハンマ１００にとって有用である。
【００３９】
また、以上の実施形態によれば、ハウジングカバー１０６に開口１０６ａが形成されているため、ハウジングカバー１０６がモータハウジング１０３を保護したままの状態で、ブラシ１１５を交換することができる。
【００４０】
以上においては、ハウジングカバー１０６は、モータハウジング１０３の下端部を覆うように配置されていたが、ハウジングカバー１０６がモータハウジング１０３の下端部以外のモータハウジング１０３の中間領域を覆うように構成されていてもよい。
【００４１】
また、以上においては、モータハウジング１０３の内部に駆動モータ１１０を配置するための組み付け用開口がモータハウジング１０３に形成されており、当該組み付け用開口をハウジングカバー１０６が覆うように構成されていてもよい。
【００４２】
また、以上においては、ハウジングカバー１０６とハンドグリップ１０７が一対の左側ハウジング１０９Ａと右側ハウジング１０９Ｂで一体に構成されていたが、ハウジングカバー１０６とハンドグリップ１０７が別体で構成されていてもよい。このような場合であっても、ハンドグリップ１０７がハウジングカバー１０６に接続されていることで、ハウジングカバー１０６がモータハウジング１０３の保護と、ハンドグリップ１０７を支持する機能を備えることができる。
【００４３】
また、以上においては、打撃工具として、電動式ハンマ１００を用いて説明したが、ハンマビット１１９が打撃動作と回転動作を行うハンマドリルに本発明を適用することも可能である。
【００４４】
（実施形態の各構成要素と本発明の各構成要素の対応関係）
本実施形態は、本発明を実施するための形態の一例を示すものである。したがって、本発明は、本実施形態の構成に限定されるものではない。なお、本実施形態の各構成要素と本発明の各構成要素の対応関係を以下に示す。
電動式ハンマ１００は、本発明の「打撃工具」に対応する構成の一例である。
ハンマビット１１９は、本発明の「先端工具」に対応する構成の一例である。
本体部１０１は、本発明の「本体部」に対応する構成の一例である。
モータハウジング１０３は、本発明の「モータ収容部」に対応する構成の一例である。
ハウジングカバー１０６は、本発明の「カバー部」に対応する構成の一例である。
開口１０３ａは、本発明における「開口部」に対応する構成の一例である。
開口１０６ａは、本発明における「開口部」に対応する構成の一例である。
ハンドグリップ１０７は、本発明の「ハンドル」に対応する構成の一例である。
第１領域１０８ａは、本発明の「第１部分」に対応する構成の一例である。
第２領域１０８ｂは、本発明の「第２部分」に対応する構成の一例である。
第３領域１０８ｃは、本発明の「第３部分」に対応する構成の一例である。
左側ハウジング１０９Ａは、本発明の「第１構成部材」、「ハンドル構成部材」に対応する構成の一例である。
右側ハウジング１０９Ｂは、本発明の「第２構成部材」、「ハンドル構成部材」に対応する構成の一例である。
駆動モータ１１０は、本発明の「モータ」に対応する構成の一例である。
モータ軸１１１は、本発明の「回転軸」に対応する構成の一例である。
ブラシ１１５は、本発明の「ブラシ」に対応する構成の一例である。
運動変換機構１２０は、本発明の「駆動機構」に対応する構成の一例である。
打撃要素１４０は、本発明の「駆動機構」に対応する構成の一例である。
ケーブル１６０は、本発明の「電源ケーブル」に対応する構成の一例である。
螺合部材１７１は、本発明の「蓋体」に対応する構成の一例である。
保護キャップ１７２は、本発明の「蓋体」に対応する構成の一例である。
【００４５】
以上の発明の趣旨に鑑み、本発明に係る作業工具は、下記の態様が構成可能である。
（態様１）
「着脱可能な先端工具が当該先端工具の長軸方向に駆動される打撃工具であって、
回転軸が前記長軸方向に交差する方向に延在して配置されたモータと、
前記モータに駆動される駆動機構と、
前記モータを収容するモータ収容部と、
前記駆動機構を収容する駆動機構収容部と、
前記モータ収容部と前記駆動機構収容部で構成される本体部と、
前記モータ収容部の外側を覆うカバー部と、
一端が前記本体部に接続され、他端が前記カバー部に接続されたハンドルを有し、
前記ハンドルは、
前記一端側と前記他端側は、ユーザのそれぞれの手によって把持されて打撃作業が行われるように構成されていることを特徴とする打撃工具。」
【００４６】
（態様２）
「請求項５に記載の打撃工具であって、
前記蓋体は、前記開口部と螺合する螺合部材と、前記螺合部材の外側を覆うキャップ部材で構成されており、
前記螺合部材は、当該螺合部材を回動させるための工具が係合可能な係合溝が形成されていることを特徴とする打撃工具。」
【符号の説明】
【００４７】
１００  電動式ハンマ
１０１  本体部
１０３  モータハウジング
１０３ａ  開口
１０４  フロントハウジング
１０５  ギアハウジング
１０６  ハウジングカバー
１０６ａ  開口
１０７  ハンドグリップ
１０７ａ  トリガ
１０８ａ  第１領域
１０８ａ１，１０８ａ２  延在部分
１０８ｂ  第２領域
１０８ｃ  第３領域
１０９Ａ  左側ハウジング
１０９Ｂ  右側ハウジング
１１０  駆動モータ
１１１  モータ軸
１１２  ベアリング
１１３  ベアリング
１１４  整流子
１１５  ブラシ
１１９  ハンマビット
１２０  運動変換機構
１２１  第１駆動ギア
１２３  被動ギア
１２５  クランク軸
１２７  偏心軸
１２９  連接ロッド
１３１  ピストン
１４０  打撃要素
１４１  シリンダ
１４１ａ  空気室
１４３  ストライカ
１４５  インパクトボルト
１５９  ツールホルダ
１６０  ケーブル
１７０  ブラシ保持部材
１７１  螺合部材
１７１ａ  係合溝
１７２  保護キャップ
１８０  着脱式ハンドル
【図１】
2013252596.tif 000003
【図２】
2013252596.tif 000004
【図３】
2013252596.tif 000005
【図４】
2013252596.tif 000006